(57)【要約】【課題】表示パネルユニットに取り付けた表示シートを均一に照明することができる遊技機を提供する。【解決手段】腰部パネルユニット６０は、絵柄シートケース６１を有するとともに、遊技機筐体に対して着脱可能となっている。絵柄シートケース６１の背面側に、導光板６５および反射シート６７を配設するとともに、該導光板６５の少なくとも一つの側面に対向して光源６６を配設する。導光板６５の前面側に、導光板６５から射出される光を拡散する光拡散シート６４を備える。絵柄シートケース６１は、光源６６の配設側とは反対の側面に、光源６６から射出され導光板６５を通過した光を透過させる透光領域を備える。絵柄シートケース６１は、上下左右いずれか一つの側面に絵柄シート６２を挿入する絵柄シート挿入口６１ａを備える。【選択図】          図１
2004321613.tif 000002
【特許請求の範囲】
【請求項１】
遊技機筐体の前面に表示パネルユニットを取り付けた遊技機であって、
前記表示パネルユニットは、表示シートケースを有するとともに、前記遊技機筐体に対して着脱可能となっており、
前記表示シートケースの背面側に、前面側から順に導光板および反射手段を配設するとともに、該導光板の少なくとも一つの側面に対向して光源を配設し、
前記光源から発射され前記導光板内に導かれた光を、前記反射手段により前記表示シートケースの前面側に向かって反射することを特徴とする遊技機。
【請求項２】
前記導光板の前面側に、該導光板から射出される光を拡散する光拡散手段を備えたことを特徴とする請求項１記載の遊技機。
【請求項３】
前記表示シートケースは、光源の配設側とは反対の側面に、光源から射出され前記導光板を通過した光を透過させる透光領域を備えたことを特徴とする請求項１または２記載の遊技機。
【請求項４】
前記表示シートケースは、上下左右いずれか一つの側面に表示シートを挿入する表示シート挿入口を備えていることを特徴とする請求項１〜３のうちいずれか１項記載の遊技機。
【発明の詳細な説明】
【０００１】
【発明の属する技術分野】
本発明は、遊技機筐体の前面に表示パネルユニットを取り付けた遊技機に関する。
【０００２】
【従来の技術】
従来、この種の遊技機としてパチスロ遊技機が知られている。
図５は、従来のパチスロ遊技機において、腰部パネルユニットを取り外した状態の外観を示す斜視図である。
【０００３】
従来のパチスロ遊技機は、図５に示すように、筐体本体１１の前面に筐体扉１２を開閉可能に取り付けて遊技機筐体１０を構成し、筐体扉１１には、その前面のほぼ中央より上部に、遊技機筐体１０内に配設した回転リールの表面が臨むリール表示窓等（図示せず）を有する正面パネル２０を配設し、正面パネル２０の下方に、筐体扉１２から前方に向かって突出した突出部３０を設け、突出部３０の前面にスタートレバー４０および３個のストップボタン５０ａ〜５０ｃを横並びに配設し、突出部３０の下方に腰部パネルユニット（図示せず）を配設し、腰部パネルユニットの下方にメダル受皿７０を配設している。
【０００４】
また、従来のパチスロ遊技機では、腰部パネルユニットが位置する筐体本体１１の内部に、腰部パネルユニットに取り付けた絵柄シートを背面側から照明するための蛍光灯１００が配設されている。
【０００５】
また、腰部パネルユニットに取り付けた絵柄シートを背面側から照明するための装置として、光源からの光線を光ファイバを介して射光パネルに導き、絵柄シートをスポット照明するようにした照明装置が開発されている（例えば、特許文献１参照）。
【０００６】
【特許文献１】
特開２００１−７９１３７号公報
【０００７】
【発明が解決しようとする課題】
ところで、筐体扉１２の裏側には種々の装置が配設されており、特に腰部パネルユニットを取り付ける部分には、不良メダルの選別を行うメダルセレクタが配設されており、従来は、図５に示すように、筐体扉１２の裏側におけるメダルセレクタの配設領域１１０ｂが、蛍光灯１００の設置空間１１０ａに張り出して設けられている。このため、蛍光灯１００からの光が設置領域１１０ｂによって遮られることになり、蛍光灯１００によって照明される絵柄シートの一部が暗くなっていた。
【０００８】
このように、従来の遊技機においては、絵柄シートに照射される光源からの光が偏ってしまい、絵柄シートを均一に照明することができなかった。
【０００９】
また、蛍光灯１００を設けるための設置空間１１０ａを筐体扉１２側に設けていたため、筐体扉１２の裏側に存在する種々の装置を配設するためのスペースが狭くなり、十分な設置スペースを確保できるとは言い難かった。
【００１０】
また、近年、コスト低減や資源の有効利用を図るために、新機種の導入や機種の入れ替えを行う際に、遊技機筐体は旧機種のものをそのまま利用し、遊技機内部に収容される機械部品のみを交換することが考えられるようになってきた。この際、機種毎に使用されているキャラクタ等が異なるため、絵柄シートを新しく取り替える必要がある。したがって、絵柄シートを容易に交換することができれば、新機種の導入や機種の入れ替えに要するコストを低減することができる。
【００１１】
本発明は、上述した事情に鑑み提案されたもので、表示パネルユニットに取り付けた表示シートを均一に照明することができる遊技機を提供することを目的とする。また、本発明は、表示シートの交換を容易に行うことができる遊技機を提供することを目的とする。さらに、本発明は、表示シートの照明装置を薄型にすることで、筐体扉へ取り付ける装置の設置スペースを確保することができる遊技機を提供することを目的とする。
【００１２】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【００１３】
本発明に係る遊技機は、遊技機筐体（例えば、筐体扉１２）の前面に表示パネルユニット（例えば、腰部パネルユニット６０）を取り付けた遊技機であって、前記表示パネルユニット（腰部パネルユニット６０）は、表示シートケース（例えば、絵柄シートケース６１）を有するとともに、前記遊技機筐体（筐体扉１２）に対して着脱可能となっており、
前記表示シートケース（絵柄シートケース６１）の背面側に、前面側から順に導光板（６５）および反射手段（例えば、反射シート６７）を配設するとともに、該導光板（６５）の少なくとも一つの側面に対向して光源（６６）を配設し、前記光源（６６）から発射され前記導光板（６５）内に導かれた光を、前記反射手段（反射シート６７）により前記表示シートケース（絵柄シートケース６１）の前面側に向かって反射することを特徴とするものである。
【００１４】
このような構成からなる遊技機では、光源（６６）から発射された光は導光板（６５）内に導かれ、反射手段（反射シート６７）により表示シートケース（絵柄シートケース６１）の前面側に向かって反射され、光源（６６）からの光により表示シート（例えば、絵柄シート６２）に十分な光量が照射され、照明が均一なものとなる。
【００１５】
また、表示パネルユニット（腰部パネルユニット６０）の背面側に位置する遊技機筐体（１０）内に、光源（６６）を配設するための広いスペースを必要としないため、遊技機筐体（１０）内の限られたスペースを有効に利用することができる。
【００１６】
また、本発明に係る遊技機は、前記構成に加えて、前記導光板（６５）の前面側に、該導光板（６５）から射出される光を拡散する光拡散手段（例えば、光拡散シート６４）を備えたことを特徴とするものである。
【００１７】
このような構成からなる遊技機では、光拡散手段（光拡散シート６４）により、導光板（６５）から表示シート（絵柄シート６２）に向かって射出される光が拡散されるので、表示シート（絵柄シート６２）の照明がさらに均一なものとなる。
【００１８】
また、本発明に係る遊技機は、前記構成に加えて、前記表示シートケース（絵柄シートケース６１）は、光源（６６）の配設側とは反対の側面に、光源（６６）から射出され前記導光板（６５）を通過した光を透過させる透光領域（６１ｄ）を備えたことを特徴とするものである。
【００１９】
このような構成からなる遊技機では、光源（６６）から導光板（６５）内に導かれた光が透光領域（６１ｄ）を透過して、表示シートケース（絵柄シートケース６１）の外部に導かれる。このため、例えば、光源（６６）を導光板（６５）の上側面に対向して配置した場合、導光板（６５）の下側面から射出された光により、表示パネルユニット（腰部パネルユニット６０）の下方に配設されたメダル受皿（７０）を照明することができる。メダル受皿（７０）は、遊技店内に設置された照明が比較的当たり難い部位であるため、メダル受皿（７０）を照明することにより、メダル受皿（７０）内に貯留されたメダルを確認し易くなる。
【００２０】
また、本発明に係る遊技機は、前記構成に加えて、前記表示シートケース（絵柄シートケース６１）は、上下左右いずれか一つの側面に表示シート（絵柄シート６２）を挿入する表示シート挿入口（例えば、絵柄シート挿入口６１ａ）を備えていることを特徴とするものである。
【００２１】
このような構成からなる遊技機では、表示シート挿入口（絵柄シート挿入口６１ａ）から表示シート（絵柄シート６２）を容易に挿抜することができ、これにより表示シート（絵柄シート６２）の交換を容易に行うことが可能となる。
【００２２】
【発明の実施の形態】
以下、図面を参照して、本発明に係る遊技機の実施形態を説明する。
なお、以下の説明では、代表的な遊技機としてパチスロ遊技機を例にとって説明を行うが、本発明に係る遊技機はこれに限定されるものではない。
【００２３】
図１〜図４は、本発明の実施形態に係るパチスロ遊技機およびこれに用いる腰部パネルユニットを示すもので、図１は腰部パネルユニットの分解斜視図、図２は腰部パネルケースの斜視図、図３は腰部パネルユニットを取り外した状態の遊技機の要部を示す斜視図、図４はパチスロ遊技機の斜視図である。
【００２４】
本発明の実施形態に係るパチスロ遊技機は、図４に示すように、筐体本体１１の前面に筐体扉１２を開閉可能に取り付けて遊技機筐体１０を構成し、筐体扉１２には、その前面のほぼ中央より上部に、遊技機筐体１０内に配設した回転リールの表面が臨むリール表示窓等（図示せず）を有する正面パネル２０を配設し、正面パネル２０の下方に、筐体扉１２から前方に向かって突出した突出部３０を設け、突出部３０の前面にスタートレバー４０および３個のストップボタン５０ａ〜５０ｃを横並びに配設し、突出部３０の下方に腰部パネルユニット６０を配設し、腰部パネルユニット６０の下方にメダル受皿７０を配設している。
なお、図示しないが、筐体扉１２の前面には、上記部材の他に、メダル投入口、液晶表示装置等が配設されている。
【００２５】
腰部パネルユニット６０は、図１に示すように、絵柄シート６２を内部に収容するための絵柄シートケース６１を有している。絵柄シートケース６１の背面側には、前面側から順に、透明アクリル板６３、光拡散シート６４、導光板６５、反射シート６７、およびリアフレーム６８が配設されている。また、導光板６５の上面に対向して、冷陰極管からなる光源６６が配設されている。
【００２６】
光源６６から発射された光は導光板６５内に導かれ、反射シート６７により絵柄シートケース６１の前面側に向かって反射され、さらに光拡散シート６４により拡散され、光源６６から発射された光により絵柄シート６２が均一に照明される。
【００２７】
このように、光源６６からの光を絵柄シート６２に照射するための部材である透明アクリル板６３、光拡散シート６４、導光板６５、反射シート６７、およびリアフレーム６８を一体に構成するとともに、光源６６を導光板６５の上面に対向して配置しているため、従来のように、腰部パネルユニットの背面側に位置する遊技機筐体１０内に蛍光灯等の光源を配設する必要がない。また、従来のように、遊技機筐体１０内に蛍光灯等の光源を配設した場合には、光源により絵柄シート６２を均一に照明するために、光源を絵柄シート６２から離して配置する必要があり、腰部パネルユニットの背面側に広いスペースを必要としていた。
【００２８】
これに対して、本実施形態に係る腰部パネルユニット６０では、光源６６が腰部パネルユニット６０内に一体に配設されているため、腰部パネルユニットの背面側に位置する筐体扉１２内に広いスペースを必要とせず、筐体扉１２の裏側に設置される装置の設置スペースを確保することができる。
【００２９】
絵柄シートケース６１の上面には、絵柄シート６２を挿入するための絵柄シート挿入口６１ａが設けられており、この絵柄シート挿入口６１ａを介して、絵柄シート収容部６１ｂ（図２参照）に収納された絵柄シート６２の挿抜を行うことができる。
【００３０】
ここで、絵柄シート６２は、透光性を有する部材からなるとともに、当該パチスロ遊技機の演出に用いるキャラクタ等が描かれており、透明アクリル板６３の前面側に位置するようにして絵柄シートケース６１の絵柄シート収容部６１ｂ（図２参照）内に挿入される。また、光拡散シート６４、導光板６５、反射シート６７、および光源６６は、リアフレーム６８内に収容される。
【００３１】
なお、透明アクリル板６３は、必ずしも無色透明である必要はなく、全体に着色されていてもよいし、不透明な部分が存在してもよい。また、透明アクリル板６３は、絵柄シートケース６１と一体に設けてもよい。また、反射シート６７は、蒸着等の手段により導光板６５と一体となるように設けてもよい。また、リアフレーム６８の前面側を反射面とすることにより、反射シート６７を省略してもよい。また、導光板６５の前面に溝加工、エンボス加工等を施して光拡散作用を持たせることにより、光拡散シート６４を省略してもよい。
【００３２】
絵柄シートケース６１には、図２に示すように、光源６６の配設側とは反対の側面である下側面に、光源６６からの光を透過させる透光領域６１ｄが設けられている。図２に示す例では、絵柄シートケース６１の下側面において、略中央部が透光領域６１ｄとなっており、透光領域６１ｄの左右両側が光源６６からの光を遮蔽する遮光領域６１ｃとなっている。
【００３３】
光源６６から導光板６５内に導かれた光は、透光領域６１ｄを透過して絵柄シートケース６１の下部に導かれ、腰部パネルユニット６０の下方に配設されたメダル受皿７０が照明される。
【００３４】
本実施形態では、絵柄シートケース６１が透光性を有する部材から構成されており、絵柄シートケース６１の下側面において、左右両側に遮光シート等を貼付することにより、左右両側を遮光領域６１ｃとするとともに、略中央部を透光領域６１ｄとすることができる。なお、透光領域６１ｄの位置は下側面の略中央部に限られず、どのような位置であってもよいし、下側面の全体を透光領域６１ｄとしてもよい。
【００３５】
透明アクリル板６３が装着されるとともに絵柄シート収容部６１ｂ内に絵柄シート６２が収容された絵柄シートケース６１と、光拡散シート６４、導光板６５、反射シート６７、および光源６６が収納されたリアフレーム６８は、支持部材（図示せず）を用いて支持枠８０（図３参照）に取り付けられて一体となり、筐体扉１２の前面に取り付けられる。
【００３６】
この支持枠８０の背面側には、図３に示すように、上辺から後方に向かって左右一対の係合突起８１，８１が設けられているとともに、下辺から後方に向かって左右一対の係止片８２，８２が設けられている。なお、係合突起８１，８１および係止片８２，８２は支持枠８０と一体に設けられており、係合突起８１，８１は可撓性および弾性を有している。また、筐体扉１２の前面には、係合突起８１，８１と対向する位置にそれぞれ係合穴９１，９１が設けられており、係止片８２，８２と対向する位置にそれぞれ係止穴９２，９２が設けられている。
【００３７】
なお、絵柄シートケース６１に透光領域６１ｄを設けた場合には、支持枠８０において透光領域６１ｄに対向する面にも透光領域（図示せず）を設けなければならない。
【００３８】
筐体扉１２に支持枠８０を取り付けるには、係止穴９２，９２内に係止片８２，８２を挿入し、係止穴９２，９２を支点として支持枠８０を筐体扉１２側へ弧を描くように押し上げ、係合穴９１，９１内に係合突起８１，８１を押し込めばよい。この際、係合突起８１，８１は下側へ向かって撓みながら係合穴９１，９１内に押し込まれた後、弾性により上側へ向かって押し戻されて係合穴９１，９１に係合する。
【００３９】
また、筐体扉１２から支持枠８０を取り外すには、係合突起８１，８１をその付勢力に抗して下側へ向かって撓ませながら係合穴９１，９１から引き抜き、係止穴９２，９２を支点として支持枠８０を遊技者側（筐体扉１２の前方）へ弧を描くように引き下げ、係止穴９２，９２から係止片８２，８２を抜き取ればよい。
【００４０】
本実施形態に係るパチスロ遊技機で絵柄シート６２を交換するには、まず、筐体扉１２から支持枠８０を取り外すとともに、支持枠８０からリアフレーム６８および絵柄シートケース６１を取り外す。この状態で、絵柄シート挿入口６１ａを介して絵柄シートケース収容部６１ｂ内から古い絵柄シート６２を抜き取った後、絵柄シート挿入口６１ａを介して絵柄シートケース収容部６１ｂ内へ新しい絵柄シート６２を挿入する。そして、支持枠８０に絵柄シートケース６１およびリアフレーム６８を取り付けた後、支持枠８０を筐体扉１２に取り付ければよい。
【００４１】
＜他の実施形態＞
本発明に係る遊技機は、上記実施形態に限定されるものではなく、種々の変更を加えて実施することが可能である。
例えば、表示パネルユニットは腰部パネルユニット６０に限られず、配当表パネル等のように、表示シートを交換する必要がある部材に応用することができる。
【００４２】
また、表示シートの一例として絵柄シート６２を挙げたが、表示シートは、配当表、遊技説明、遊技機のキャラクタ、装飾模様等、どのような表示がなされたものであってもよい。
また、絵柄シートケース６１に対して絵柄シート挿入口６１ａを設ける位置は、上側面だけには限られず、左側面、右側面、あるいは下側面であってもよい。
【００４３】
また、光源６６は寿命が長いという点で冷陰極管であることが好ましいが、他の放電灯やＬＥＤ等の光源を用いることもできる。また、光源６６を対向させる導光板６５の側面は、上側面に限られず、左側面、右側面、下側面、あるいはこれらの組合せであってもよい。
【００４４】
【発明の効果】
以上説明したように、本発明に係る遊技機では、光源からの光を導光板および反射手段により表示シートへ向かって照射しているので、表示シートを均一に照明して、装飾効果を高めることができる。
【図面の簡単な説明】
【図１】本発明の実施形態に係るパチスロ遊技機に用いる腰部パネルユニットの分解斜視図
【図２】本発明の実施形態に係るパチスロ遊技機に用いる腰部パネルケースの斜視図
【図３】腰部パネルユニットを取り外した状態の本発明の実施形態に係るパチスロ遊技機の要部を示す斜視図
【図４】本発明の実施形態に係るパチスロ遊技機の斜視図
【図５】従来のパチスロ遊技機において、腰部パネルユニットを取り外した状態の斜視図
【符号の説明】
１０  遊技機筐体
１１  筐体本体
１２  筐体扉
２０  正面パネル
３０  突出部
４０  スタートレバー
５０ａ〜５０ｃ  ストップボタン
６０  腰部パネルユニット
６１  絵柄シートケース
６２  絵柄シート
６１ａ  絵柄シート挿入口
６１ｂ  絵柄シート収容部
６１ｃ  遮光領域
６１ｄ  透光領域
６３  透明アクリル板
６４  光拡散シート
６５  導光板
６６  光源
６７  反射シート
６８  リアフレーム
７０  メダル受皿
８０  支持枠
８１  係合突起
８２  係止片
９１  係合穴
９２  係止穴
【図１】
2004321613.tif 000003
【図２】
2004321613.tif 000004
【図３】
2004321613.tif 000005
【図４】
2004321613.tif 000006
【図５】
2004321613.tif 000007